(57)【要約】【課題】換気弁が通風路に水滴で貼りつき、自重で下向き姿勢に揺動しなくなることを防止できる建具とする。【解決手段】上横枠材１０の通風路３０を換気弁４０で開閉する建具であって、その換気弁４０は自重で下向き姿勢に揺動して通風路３０を閉じ、空気圧力の差圧で上向き姿勢に揺動して通風路３０を開放し、その換気弁４０に突部４４を設けて最も上向き姿勢のときに突部４４が通風路３０に接触して水滴が滞留することを防止することで、換気弁が通風路に水滴で貼りつき、自重で下向きに揺動しなくなることを防止する。【選択図】図２
2014114617.tif 000002
【特許請求の範囲】
【請求項１】
横材に、面外方向一側方と面外方向他側方を連通する通風路を形成すると共に、この通風路を開閉する換気弁を設けた建具であって、
前記換気弁は、自重で通風路を閉じる下向き姿勢に揺動すると共に、面外方向一側方の空気圧力と面外方向他側方の空気圧力との差圧で通風路を開放する上向き姿勢に揺動し、
前記換気弁が最も上向き姿勢になった際に前記通風路と前記換気弁との接触部において水滴の滞留を防止する水滴滞留防止部が設けられており、
前記水滴滞留防止部は、前記換気弁に設けられた突部または植毛であることを特徴とする建具。
【請求項２】
横材に、面外方向一側方と面外方向他側方を連通する通風路を形成すると共に、この通風路を開閉する換気弁を設けた建具であって、
前記換気弁は、自重で通風路を閉じる下向き姿勢に揺動すると共に、面外方向一側方の空気圧力と面外方向他側方の空気圧力との差圧で通風路を開放する上向き姿勢に揺動し、
前記換気弁が最も上向き姿勢になった際に前記通風路と前記換気弁との接触部において水滴の滞留を防止する水滴滞留防止部が設けられており、
前記水滴滞留防止部は、前記通風路に設けられた突部であることを特徴とする建具。
【請求項３】
前記水滴滞留防止部は、前記横材の長手方向両端部に設けたブロックに設けられた突部である請求項２記載の建具。
【発明の詳細な説明】
【技術分野】
【０００１】
本発明は、浴室ドアなどの換気機能を有する建具に関する。
【背景技術】
【０００２】
従来、換気機能を有した建具が特許文献１に開示されている。
この建具は、枠体に障子（扉）を開閉自在に取り付けたもので、その障子の上框に換気用の通風路を形成すると共に、その通風路を開閉する換気弁を備え、この換気弁の上部を上框の支持部に通風路を閉じる下向き姿勢と、通風路を開放する上向き姿勢とに渡って上下方向に揺動自在に取り付けしている。
【先行技術文献】
【特許文献】
【０００３】
【特許文献１】特開２０１０−２５５２９０号公報
【発明の概要】
【発明が解決しようとする課題】
【０００４】
近年、浴室内の空気を換気扇により外部に排出して換気することが行われており、このような浴室の出入口に設置する建具として、前述した従来の換気機能を有した建具を用いることで、換気扇を駆動して浴室を換気するときに浴室内が負圧とならないようにすることができる。
このように、浴室の出入口に設置する建具の場合には、その換気用の通風路を開閉する換気弁は、次の役割が必要である。
第１の役割は、換気扇が駆動することで換気弁が通風路を開放する上向き姿勢に揺動して排気のための経路を確保することである。
第２の役割は、障子を開放するときに換気弁が前述の上向き姿勢に揺動して通風路を空気が流通し、障子が受ける空気抵抗を低減することである。
第３の役割は、換気扇が停止することで換気弁が通風路を閉じる下向き姿勢に揺動し、浴室内部の湯気が脱衣室側に漏れることを防止することである。
【０００５】
前述の第３の役割を十分に満足するには、換気弁の自重を重くすることで、換気扇が停止して浴室側の空気圧力と脱衣室側の空気圧力が等しくなると換気弁が自重で下向きに揺動して通風路を閉じるようにすれば良い。
しかし、換気弁の自重が重いと、換気扇が駆動し浴室側の空気圧力が脱衣室側の空気圧力よりも低くなり、その空気圧力の差圧により換気弁が上向きに揺動するときに、その換気弁の揺動角度が小さく、通風路の開度が小さいから、その通風路を流れる空気が排気弁に触れることで生じる風きり音が高周波帯域で顕著となり、不快な異音が発生する。
特に、浴室を換気する換気扇を２４時間駆動して室内を２４時間換気する場合には、不快な異音が夜間にも発生してしまう。
【０００６】
このことを解消するために、換気弁の自重を軽くした結果、換気扇が駆動しているときに前述の空気圧力の差圧により換気弁が上向きに揺動する角度が大きく、通風路の開度が大きくなることで、前述の風きり音の発生を抑制することができた。
しかしながら、換気弁の自重が軽いことにより換気扇を停止したときに換気弁が下向きに揺動しづらくなるばかりか、換気扇が駆動して換気弁が上向きに揺動している際に、通風路に細かい水滴が浸入し、その水滴で、換気弁が通風路、例えば通風路の上部分に貼りつき、換気扇を停止しても換気弁が通風路の上部分に貼りついたままで、換気弁の自重で下向きに揺動せずに通風路を閉じることができず、前述の湯気漏れを防止できないことがある。
つまり、前述の空気圧力の差圧で換気弁が上向き姿勢に揺動すると、その換気弁は通風路の上部分に接触する。そして、浴室内のシャワー水などが通風路に入り込むことで、細かい水滴となり、その水滴が換気弁と通風路の上部分の接触している部分に滞留し、換気弁が通風路の上部分に貼りついてしまう。
【０００７】
本発明の目的は、通風路の開度を大きくして風きり音の発生を抑制できると共に、換気弁が通風路に貼りつき、自重で下向きに揺動しないことを防止できるようにした建具とすることである。
【課題を解決するための手段】
【０００８】
本発明の第1の建具は、横材に、面外方向一側方と面外方向他側方を連通する通風路を形成すると共に、この通風路を開閉する換気弁を設けた建具であって、
前記換気弁は、自重で通風路を閉じる下向き姿勢に揺動すると共に、面外方向一側方の空気圧力と面外方向他側方の空気圧力との差圧で通風路を開放する上向き姿勢に揺動し、
前記換気弁が最も上向き姿勢になった際に前記通風路と前記換気弁との接触部において水滴の滞留を防止する水滴滞留防止部が設けられており、
前記水滴滞留防止部は、前記換気弁に設けられた突部または植毛であることを特徴とする建具である。
【０００９】
本発明の第２の建具は、横材に、面外方向一側方と面外方向他側方を連通する通風路を形成すると共に、この通風路を開閉する換気弁を設けた建具であって、
前記換気弁は、自重で通風路を閉じる下向き姿勢に揺動すると共に、面外方向一側方の空気圧力と面外方向他側方の空気圧力との差圧で通風路を開放する上向き姿勢に揺動し、
前記換気弁が最も上向き姿勢になった際に前記通風路と前記換気弁との接触部において水滴の滞留を防止する水滴滞留防止部が設けられており、
前記水滴滞留防止部は、前記通風路に設けられた突部であることを特徴とする建具である。
【００１０】
本発明の第２の建具においては、前記水滴滞留防止部は、前記横材の長手方向両端部に設けたブロックに設けられた突部とすることができる。
【発明の効果】
【００１１】
本発明によれば、上向き姿勢の換気弁が通風路に水滴により貼りつくことがないので、換気弁の自重を最低限度として空気圧力の差圧で排気弁による通風路の開度を大きくして風きり音の発生を抑制できると共に、空気圧力の差圧がゼロのときには排気弁が自重で下向き姿勢に揺動して通風路を閉じるから、浴室の建具の場合に浴室の湯気が脱衣室側に漏れることを防止できる。
【図面の簡単な説明】
【００１２】
【図１】建具の正面図である。
【図２】図１のＡ−Ａ拡大断面図である。
【図３】換気弁の取付部の拡大図である。
【図４】上横枠材と縦枠材の分解斜視図である。
【図５】換気弁の取付部の第２の実施の形態を示す拡大図である。
【図６】換気弁の取付部の第３の実施の形態を示す拡大図である。
【図７】換気弁の取付部の第４の実施の形態を示す拡大図である。
【図８】換気弁を有した下横材の断面図である。
【図９】換気弁を有した下横材の分解斜視図である。
【発明を実施するための形態】
【００１３】
図１に示すように、枠体１に障子２を開閉自在に取り付けて建具としてある。
枠体１は、上横枠材１０と下横枠材１１と左右の縦枠材１２，１２を方形状に連結してある。
障子２は吊元側障子２ａの戸先側と戸先側障子２ｂの吊元側を折れ曲がり自在に連結し、その吊元側障子２ａの吊元側を枠体１に面外方向に回動自在に連結すると共に、戸先側障子２ｂの戸先側を上下横枠材１０，１１の長手方向に沿って移動自在としてある。
つまり、図１に示す建具は折れ戸である。
吊元側障子２ａ、戸先側障子２ｂは、上横框材２０と下横框材２１と左右の縦框材２２，２２を方形状に連結し、その内部にガラス、樹脂プレートなどの面材２３を装着してある。
【００１４】
建具は折れ戸に限ることはなく、枠体１に障子２を面外方向に回動自在に取り付けた開き戸、枠体１に障子２を面内方向に移動自在に取り付けた引き戸、片引き戸、引き違い戸などでも良い。
この実施の形態の建具は、浴室用の建具であるが、これに限ることはなく、室内の出入口用の建具、室内と室外を仕切る出入口用の建具、窓用の建具等でも良い。
【００１５】
図２に示すように、上横枠材１０は通風路３０を有している。
この通風路３０は面外方向一側の一側開口部３１と、面外方向他側の他側開口部３２と、その一側開口部３１と他側開口部３２を連通する連通路３３を有している。
そして、一側開口部３１が障子２を境とした脱衣室側（面外方向一側方）に開口し、他側開口部３２が障子２を境とした浴室側（面外方向他側方）に開口して、通風路３０を通して浴室側と脱衣室側とに空気、水などが流れるようにしてある。
【００１６】
通風路３０は換気弁４０で開閉される。
この換気弁４０は、その上部が上横枠材１０に面外方向に向けて揺動自在に取り付けてある。
換気弁４０は自重で下向き揺動し、図２に実線で示す下向き姿勢となり、通風路３０を閉じている。
そして、通風路３０の一側開口部３１の空気圧力が他側開口部３２の空気圧力よりも高くなると、その空気圧力の差圧で上向きに揺動し、図２に仮想線で示す最も上向き姿勢となると通風路３０、例えば上横枠材１０の通風路３０を形成する部分の上部分３４に接触し、通風路３０を開放する。
【００１７】
換気弁４０は、面外方向寸法が小さく（厚さが薄い）、長尺である板状の弁本体４１と、その弁本体４１の上部に設けた取付部４２を有し、換気弁４０の自重を最小限度としてある。
取付部４２は、断面がほぼ半円形で、その取付部４２が上横枠材１０の断面ほぼ半円形の凹部１０ａ内に面外方向に回動自在に取り付けてある。
弁本体４１の面外方向一側面４１ａにおける下部寄りに植毛（モヘア）４３が設けられ、換気弁４０が下向き姿勢に揺動した際に植毛４３が一側開口部３１の下開口縁に接することで音鳴りを抑制するようにしてある。
前述のように、換気弁４０の自重を最小限度としてあるから、図示しない換気扇を駆動することで一側開口部３１の空気圧力と他側開口部３２の空気圧力に差圧が生じ、換気弁４０が下向き姿勢から最も上向き姿勢に揺動したときの角度はほぼ９０°と大きく、通風路３０の開度が大きいので、通風路３０を流通する空気が換気弁４０に触れることで生じる風きり音が抑制される。
【００１８】
しかしながら、風きり音を抑制するために換気弁４０の自重を最小限度としたことで、換気扇を停止して前述の空気圧力の差圧がゼロとなったときに、換気弁４０と通風路３０の上部分３４との接触部に水滴が滞留することによって、換気弁４０が上部分３４に貼りつき、自重で下向きに揺動しないことがある。
この場合には通風路３０を閉じることができないので、浴室内の湯気が脱衣室側に漏れることを防止できない。
【００１９】
前述した排気弁４０が上部分３４に水滴で貼りつくことを防止するために、排気弁４０と通風路３０の上部分３４の接触部において水滴の滞留を防止する水滴滞留防止部が設けてある。
例えば、図２に示すように、本体４１の面外方向他側面４１ｂに水滴滞留防止部として突部４４を設け、換気弁４０が最も上向き姿勢になった際に、この突部４４の尖端部が通風路３０の上部分３４に接触し、その排気弁４０と上部分３４との接触面積を小さくすることで、水滴の滞留を防止し、水滴で排気弁４０が上部分３４に貼りつくことがないようにしてある。
【００２０】
換気弁４０の形状は、その換気弁４０が最も上向き姿勢のときには図３に示すように、弁本体４１の上方部分４１ｃがほぼ水平で、中間部分４１ｄがほぼく字形状で、下方部分４１ｅが斜め下向きとなる形状である。
そして、弁本体４１の中間部分４１ｄに突部４４が、基部よりも先部が面外方向他側寄りとなるように設け、その突部４４の先部が上部分３４に接触するようにしてある。
【００２１】
このようであるから、他側開口部３２から通風路３３内に入り込んだ水滴は、突部４４の面外方向他側面に当たり、弁本体４１の中間部分４１ｄ、下方部分４１ｅに沿って流れ落ちるので、突部４４と上部分３４の接触部に水滴が滞留することを確実に防止できる。
【００２２】
図２に示す通風路３０の上部分３４は、上横枠材１０の凹条溝１３を形成する鉤片１４としてある。
つまり、図２、図４に示すように上横枠材１０は本体部材１５と補助部材１６を左右の縦枠材１２にシーラ１７を介して連結し、その本体部材１５と補助部材１６との間に通風路３０を形成していると共に、本体部材１５に連結ブロック１８を取り付け、換気弁４０の長手方向両端部と縦枠１２との間の隙間を連結ブロック１８で閉塞している。
このために、本体部材１５には連結ブロック１８を取り付けるために、その連結ブロック１８の取付片１８ａが嵌合する凹条溝１３が形成してあるので、その凹条溝１３を形成する鉤片１４を通風路３０の上部分３４としてある。
【００２３】
通風路３０の上部分３４と換気弁４０の接触部に水滴が滞留することを防止するには、図５に示すように、上部分３４に突部３５を下向きに設け、この突部３５に換気弁４０の弁本体４１の面外方向他側面４１ｂが接触するようにしても良い。
また、図６に示すようにブロック１８の取付片１８ａに水滴滞留防止部として突部１８ｂを下向きに設け、この突部１８ｂに換気弁４０の弁本体４１の面外方向他側面４１ｂが接触するようにしても良い。
なお、図示を省略するが、弁本体４１と上部分３４の両方に突部４３，２５を設け、その突部４３，３５同士が接触するようにしても良いし、弁本体４１と取付片１８ａに突部４３，１８ｂを設け、その突部４３，１８ｂ同士が接触するようにしても良い。
【００２４】
また、前述の突部４３，３５，１８ｂの代りに植毛（モヘヤ）を設け、水滴滞留防止部としても良い。例えば、図７に示すように弁本体４１の面外方向他側面４１ｂに植毛（モヘヤ）４５を設け、この植毛４５が上部分３４に接触するようにする。
【００２５】
前述の各実施の形態では、枠体１の上横枠材１０に通風路３０、換気弁４０を設けたが、これに限ることはなく、下横枠材１１に設けても良いし、障子２の上横框材２０又は下横框材２１や中桟（図示せず）に設けても良い。
つまり、建具の横材に通風路３０、換気弁４０を設ければ良い。
【００２６】
例えば、図８及び図９に示すように、下横框材２１を下横材５０と上横材５１を左右の連結ブロック５２で上下方向に隔離して連結することで通風路３０を有する形状とする。
換気弁４０を上横材５１に下向き姿勢と上向き姿勢に揺動するように取付ける。
そして、連結ブロック５２に通風路３０に突出する突部５３を設け、換気弁４０が図８に仮想線で示すように最も上向き姿勢に揺動したときに、換気弁４０が突部５３に接触して通風路３０を解放するようにする。
【００２７】
このようにすることで、突部５３が水滴滞留防止部となるので、その接触部に水滴が滞留することを防止できる。
【００２８】
なお、水溜滞留防止部の設置位置は換気弁４０が最も上向き姿勢に揺動した際に、換気弁４０と通風路３０との接触部分であれば任意に設けることができる。
その際には、できるだけ通風路３０を開口するような部分に設定することが好ましい。
また、水溜滞留防止部は複数個所に設けることも可能であるが、できるだけ少なくする方が換気弁４０の貼りつきが低減され、通風路３０の開口も広く取れるので好ましい。
【符号の説明】
【００２９】
１０…上横枠材（横材）、１８…連結ブロック，１８ａ…取付片、１８ｂ…突部、３０…通風路、３４…上部分、３５…突部、４０…換気弁、４１…弁本体、４４…突部、４５…植毛、５３…突部。
【図１】
2014114617.tif 000003
【図２】
2014114617.tif 000004
【図３】
2014114617.tif 000005
【図４】
2014114617.tif 000006
【図５】
2014114617.tif 000007
【図６】
2014114617.tif 000008
【図７】
2014114617.tif 000009
【図８】
2014114617.tif 000010
【図９】
2014114617.tif 000011